(57)【要約】【課題】  スペックルノイズの除去及び輝度低下抑制を適切に両立することを可能とする投写型映像表示装置及び拡散光学素子を提供する。【解決手段】  投写型映像表示装置１００は、可干渉性を有する光を出射する光源ユニット１１０と、光源ユニット１１０から出射された光を変調するＤＭＤ５００とを備える。投写型映像表示装置は、光源ユニット１１０とＤＭＤ５００との間に設けられた拡散光学素子６００と、第１モードと第２モードとを制御する制御ユニット８００とを備える。制御ユニット８００は、第１モードにおいて、第２モードよりも高い拡散度で、光源ユニット１１０から出射される光を拡散するように拡散光学素子６００を制御する。【選択図】図７
2011100093.tif 000002
【特許請求の範囲】
【請求項１】
可干渉性を有する光を出射する光源と、前記光源から出射された光を変調する光変調素子と、前記光変調素子から出射された光を投写面に投写する投写ユニットとを備えた投写型映像表示装置であって、
前記光源と前記光変調素子との間に設けられており、前記光源から出射される光を拡散するとともに、前記光源から出射される光を透過する拡散光学素子と、
第１モードと第２モードとを制御する制御部とを備え、
前記制御部は、前記第１モードにおいて、前記第２モードよりも高い拡散度で、前記光源から出射される光を拡散するように前記拡散光学素子を制御することを特徴とする投写型映像表示装置。
【請求項２】
前記拡散光学素子は、前記光源から出射される光の進行方向において、複数の拡散面を有しており、
前記制御部は、前記複数の拡散面が異なる動作パターンで動作するように前記拡散光学素子を制御することを特徴とする請求項１に記載の投写型映像表示装置。
【請求項３】
前記拡散光学素子は、第１回転軸を中心として回転する第１回転体と、前記第１回転軸と平行な第２回転軸を中心として回転する第２回転体と、前記第１回転体及び前記第２回転体に無端ループ状に巻き掛けられた帯状の拡散シートとを含み、
前記帯状の拡散シートは、前記光源から出射される光の進行方向において、２つの拡散面を構成しており、
前記制御部は、前記第１回転体及び前記第２回転体の回転に伴って、２つの拡散面が互いに逆方向に移動するように前記拡散光学素子を制御することを特徴とする請求項２に記載の投写型映像表示装置。
【請求項４】
前記制御部は、前記複数の拡散面のうち、１つの拡散面が止まるときに、他の拡散面が動くように前記拡散光学素子を制御することを特徴とする請求項２に記載の投写型映像表示装置。
【請求項５】
前記拡散光学素子は、第１拡散板及び第２拡散板を含み、
前記制御部は、前記第１拡散板及び前記第２拡散板が異なる方向に沿って振動するように前記拡散光学素子を制御することを特徴とする請求項２に記載の投写型映像表示装置。
【請求項６】
前記拡散光学素子は、拡散度が異なる複数の拡散領域を有しており、
前記制御部は、前記第２モードにおいて、前記第１モードで用いる拡散領域よりも低い拡散度を有する拡散領域を用いて、前記光源から出射される光を拡散するように前記拡散光学素子を制御することを特徴とする請求項１に記載の投写型映像表示装置。
【請求項７】
可干渉性を有する光を拡散するとともに、可干渉性を有する光を透過する拡散光学素子であって、
第１回転軸を中心として回転する第１回転体と、
前記第１回転軸と平行な第２回転軸を中心として回転する第２回転体と、
前記第１回転体及び前記第２回転体に無端ループ状に巻き掛けられた帯状の拡散シートとを備え、
前記帯状の拡散シートは、互いに逆方向に移動する２つの拡散面を構成することを特徴とする拡散光学素子。
【発明の詳細な説明】
【技術分野】
【０００１】
本発明は、可干渉性を有する光を出射する光源を備えた投写型映像表示装置、可干渉性を有する光を拡散する拡散光学素子に関する。
【背景技術】
【０００２】
従来、光源と、光源から出射された光を変調する光変調素子と、光変調素子から出射された光を投写面上に投写する投写ユニットとを有する投写型映像表示装置が知られている。
【０００３】
近年では、主に映像光の高輝度化を図るために、投写型映像表示装置の光源としてレーザ光源を用いることが試みられている。
【０００４】
ここで、レーザ光源から出射されるレーザ光は可干渉性（コヒーレンシ）を有するため、スペックルノイズが問題になる。スペックルノイズとは、投写ユニットから出射された映像光が投写面上で散乱し、散乱光が干渉することによって生じるノイズである。なお、スペックルノイズを低減する手法としては、以下に示す手法が提案されている。
【０００５】
第１手法は、レーザ光の進行方向と平行な回転軸を中心として回転する円盤形状の拡散板によってレーザ光を拡散する手法である（例えば、特許文献１）。第２手法は、２つの拡散板によってレーザ光を拡散する手法である（例えば、特許文献２）。
【先行技術文献】
【特許文献】
【０００６】
【特許文献１】特開２００８−１２２８２３号公報
【特許文献２】特開２００８−１３４２６９号公報
【発明の概要】
【発明が解決しようとする課題】
【０００７】
ところで、第１手法及び第２手法では、スペックルノイズを低減するために拡散板を用いるが、拡散板によってレーザ光を拡散すると、投写面上に投写される光の輝度が低下する。すなわち、スペックルノイズを除去する効果及び投写面に表示される映像の輝度は、トレードオフの関係を有する。
【０００８】
そこで、本発明は、上述した課題を解決するためになされたものであり、スペックルノイズの除去及び輝度低下抑制を適切に両立することを可能とする投写型映像表示装置及び拡散光学素子を提供することを目的とする。
【課題を解決するための手段】
【０００９】
第１の特徴に係る投写型映像表示装置は、可干渉性を有する光を出射する光源（光源ユニット１１０）と、前記光源から出射された光を変調する光変調素子（ＤＭＤ５００）と、前記光変調素子から出射された光を投写面に投写する投写ユニット（投写ユニット１５０）とを備える。投写型映像表示装置は、前記光源と前記光変調素子との間に設けられており、前記光源から出射される光を拡散するとともに、前記光源から出射される光を透過する拡散光学素子（拡散光学素子６００）と、第１モードと第２モードとを制御する制御部（制御ユニット８００）とを備える。前記制御部は、前記第１モードにおいて、前記第２モードよりも高い拡散度で、前記光源から出射される光を拡散するように前記拡散光学素子を制御する。
【００１０】
第１の特徴において、前記拡散光学素子は、前記光源から出射される光の進行方向において、複数の拡散面を有する。前記制御部は、前記複数の拡散面が異なる動作パターンで動作するように前記拡散光学素子を制御する。
【００１１】
第１の特徴において、前記拡散光学素子は、第１回転軸を中心として回転する第１回転体と、前記第１回転軸と平行な第２回転軸を中心として回転する第２回転体と、前記第１回転体及び前記第２回転体に無端ループ状に巻き掛けられた帯状の拡散シートとを含む。前記帯状の拡散シートは、前記光源から出射される光の進行方向において、２つの拡散面を構成する。前記制御部は、前記第１回転体及び前記第２回転体の回転に伴って、２つの拡散面が互いに逆方向に移動するように前記拡散光学素子を制御する。
【００１２】
第１の特徴において、前記制御部は、前記複数の拡散面のうち、１つの拡散面が止まるときに、他の拡散面が動くように前記拡散光学素子を制御する。
【００１３】
第１の特徴において、前記拡散光学素子は、第１拡散板及び第２拡散板を含む。前記制御部は、前記第１拡散板及び前記第２拡散板が異なる方向に沿って振動するように前記拡散光学素子を制御する。
【００１４】
第１の特徴において、前記拡散光学素子は、拡散度が異なる複数の拡散領域を有する。前記制御部は、前記第２モードにおいて、前記第１モードで用いる拡散領域よりも低い拡散度を有する拡散領域を用いて、前記光源から出射される光を拡散するように前記拡散光学素子を制御する。
【００１５】
第２の特徴に係る拡散光学素子は、可干渉性を有する光を拡散するとともに、可干渉性を有する光を透過する。拡散光学素子は、第１回転軸を中心として回転する第１回転体と、前記第１回転軸と平行な第２回転軸を中心として回転する第２回転体と、前記第１回転体及び前記第２回転体に無端ループ状に巻き掛けられた帯状の拡散シートとを備える。前記帯状の拡散シートは、互いに逆方向に移動する２つの拡散面を構成する。
【発明の効果】
【００１６】
本発明によれば、スペックルノイズの除去及び輝度低下抑制を適切に両立することを可能とする投写型映像表示装置及び拡散光学素子を提供することができる。
【図面の簡単な説明】
【００１７】
【図１】第１実施形態に係る投写型映像表示装置１００の概略構成を示す図である。
【図２】第１実施形態に係る投写型映像表示装置１００の概略構成を示す図である。
【図３】第１実施形態に係る投写型映像表示装置１００の光学構成を示す図である。
【図４】第１実施形態に係る拡散光学素子６００の第１構成例を示す図である。
【図５】第１実施形態に係る拡散光学素子６００の第２構成例を示す図である。
【図６】第１実施形態に係る拡散光学素子６００の第３構成例を示す図である。
【図７】第１実施形態に係る制御ユニット８００を示すブロック図である。
【図８】第１実施形態に係る外部インタフェース８１０を説明するための図である。
【図９】第１実施形態に係る外部インタフェース８１０を説明するための図である。
【図１０】第１実施形態に係る外部インタフェース８１０を説明するための図である。
【図１１】変更例１に係る拡散光学素子６００を示す図である。
【図１２】変更例１に係る拡散光学素子６００を示す図である。
【図１３】変更例１に係る拡散光学素子６００を示す図である。
【図１４】変更例２に係る拡散光学素子６００を示す図である。
【図１５】変更例２に係る拡散光学素子６００を示す図である。
【図１６】変更例２に係る拡散光学素子６００を示す図である。
【図１７】変更例３に係る拡散光学素子６００を示す図である。
【図１８】変更例３に係る拡散光学素子６００を示す図である。
【発明を実施するための形態】
【００１８】
次に、図面を参照して、本発明の実施形態を説明する。以下の実施形態における図面の記載において、同一又は類似の部分には同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係る投写型映像表示装置は、可干渉性を有する光を出射する光源と、光源から出射された光を変調する光変調素子と、光変調素子から出射された光を投写面に投写する投写ユニットとを備える。投写型映像表示装置は、光源と光変調素子との間に設けられており、光源から出射される光を拡散するとともに、光源から出射される光を透過する拡散光学素子と、第１モードと第２モードとを制御する制御部とを備える。制御部は、第１モードにおいて、第２モードよりも高い拡散度で、光源から出射される光を拡散するように拡散光学素子を制御する。
【００２１】
実施形態では、制御部は、第１モードにおいて、第２モードよりも高い拡散度で、光源から出射される光を拡散するように拡散光学素子を制御する。すなわち、第１モードでは、第２モードと比べて、拡散度が高いため、スペックルノイズが効果的に除去される。一方で、第２モードでは、第１モードと比べて、拡散度が低いため、輝度低下が抑制される。すなわち、モードの切り替えによって、スペックルノイズの除去及び輝度低下抑制を適切に両立することができる。
【００２２】
［第１実施形態］
（投写型映像表示装置の構成）
以下において、第１実施形態に係る投写型映像表示装置の構成について、図面を参照しながら説明する。図１は、第１実施形態に係る投写型映像表示装置１００を示す斜視図である。図２は、第１実施形態に係る投写型映像表示装置１００を側方から見た図である。
【００２３】
図１及び図２に示すように、投写型映像表示装置１００は、筐体２００を有しており、投写面３００に映像を投写する。以下においては、投写型映像表示装置１００が壁面に設けられた投写面３００に映像光を投写するケースについて例示する（壁面投写）。
【００２４】
このようなケースにおける筐体２００の配置を壁面投写配置と称する。具体的には、投写型映像表示装置１００は、壁面４２０と、壁面４２０に略垂直な床面４１０とに沿って配置される。
【００２５】
第１実施形態では、投写面３００に平行な水平方向を“幅方向”と称する。投写面３００の法線方向を“奥行き方向”と称する。幅方向及び奥行き方向の双方に直交する方向を“高さ方向”と称する。
【００２６】
筐体２００は、略直方体形状を有する。奥行き方向における筐体２００のサイズ及び高さ方向における筐体２００のサイズは、幅方向における筐体２００のサイズよりも小さい。奥行き方向における筐体２００のサイズは、反射ミラー（図２に示す凹面ミラー１５２）から投写面３００までの投写距離と略等しい。幅方向において、筐体２００のサイズは、投写面３００のサイズと略等しい。高さ方向において、筐体２００のサイズは、投写面３００が設けられる位置に応じて定められる。
【００２７】
具体的には、筐体２００は、投写面側側壁２１０と、前面側側壁２２０と、底面板２３０と、天板２４０と、第１側面側側壁２５０と、第２側面側側壁２６０とを有する。
【００２８】
投写面側側壁２１０は、投写面３００と略平行な第１配置面（第１実施形態では、壁面４２０）と対向する板状の部材である。前面側側壁２２０は、投写面側側壁２１０の反対側に設けられた板状の部材である。底面板２３０は、床面４１０と対向する板状の部材である。天板２４０は、底面板２３０の反対側に設けられた板状の部材である。第１側面側側壁２５０及び第２側面側側壁２６０は、幅方向において筐体２００の両端を形成する板状の部材である。
【００２９】
筐体２００は、光源ユニット１１０と、電源ユニット１２０と、冷却ユニット１３０と、色分離合成ユニット１４０と、投写ユニット１５０とを収容する。投写面側側壁２１０は、投写面側凹部１６０Ａ及び投写面側凹部１６０Ｂを有する。前面側側壁２２０は、前面側凸部１７０を有する。天板２４０は、天板凹部１８０を有する。第１側面側側壁２５０は、ケーブル端子１９０を有する。
【００３０】
光源ユニット１１０は、複数の光源（図３に示す固体光源１１１Ｗ）によって構成されるユニットである。各光源は、ＬＤ（Ｌａｓｅｒ  Ｄｉｏｄｅ）などの半導体レーザ素子である。第１実施形態では、複数の固体光源１１１Ｗは、可干渉性を有する白色光Ｗを出射する。光源ユニット１１０の詳細については後述する。
【００３１】
電源ユニット１２０は、投写型映像表示装置１００に電力を供給するユニットである。例えば、電源ユニット１２０は、光源ユニット１１０及び冷却ユニット１３０に電力を供給する。
【００３２】
冷却ユニット１３０は、光源ユニット１１０に設けられた複数の光源を冷却するユニットである。具体的には、冷却ユニット１３０は、各光源を載置する冷却ジャケットを冷却することによって、各光源を冷却する。
【００３３】
なお、冷却ユニット１３０は、各光源以外にも、電源ユニット１２０や光変調素子（後述するＤＭＤ５００）を冷却するように構成されている。
【００３４】
色分離合成ユニット１４０は、白色光Ｗを分離して、赤成分光Ｒ、緑成分光Ｇ及び青成分光Ｂを分離する。さらに、色分離合成ユニット１４０は、赤成分光Ｒ、緑成分光Ｇ及び青成分光Ｂを再合成して、映像光を投写ユニット１５０に出射する。色分離合成ユニット１４０の詳細については後述する（図３を参照）。
【００３５】
投写ユニット１５０は、色分離合成ユニット１４０から出射された光（映像光）を投写面３００に投写する。具体的には、投写ユニット１５０は、色分離合成ユニット１４０から出射された光を投写面３００上に投写する投写レンズ群（図３に示す投写レンズ群１５１）と、投写レンズ群から出射された光を投写面３００側に反射する反射ミラー（図３に示す凹面ミラー１５２）とを有する。投写ユニット１５０の詳細については後述する。
【００３６】
投写面側凹部１６０Ａ及び投写面側凹部１６０Ｂは、投写面側側壁２１０に設けられており、筐体２００の内側に窪む形状を有する。投写面側凹部１６０Ａ及び投写面側凹部１６０Ｂは、筐体２００の端まで延びている。投写面側凹部１６０Ａ及び投写面側凹部１６０Ｂには、筐体２００の内側に連通する通気口が設けられる。
【００３７】
第１実施形態では、投写面側凹部１６０Ａ及び投写面側凹部１６０Ｂは、筐体２００の幅方向に沿って延びている。例えば、投写面側凹部１６０Ａには、筐体２００の外側の空気を筐体２００の内側に入れるための吸気口が通気口として設けられる。投写面側凹部１６０Ｂには、筐体２００の内側の空気を筐体２００の外側に出すための排気口が通気口として設けられる。
【００３８】
前面側凸部１７０は、前面側側壁２２０に設けられており、筐体２００の外側に張り出す形状を有する。前面側凸部１７０は、筐体２００の幅方向において、前面側側壁２２０の略中央に設けられる。筐体２００の内側において前面側凸部１７０によって形成される空間には、投写ユニット１５０に設けられた反射ミラー（図３に示す凹面ミラー１５２）が収容される。
【００３９】
天板凹部１８０は、天板２４０に設けられており、筐体２００の内側に窪む形状を有する。天板凹部１８０は、投写面３００側に向けて下る傾斜面１８１を有する。傾斜面１８１は、投写ユニット１５０から出射された光を投写面３００側に透過（投写）する透過領域を有する。
【００４０】
ケーブル端子１９０は、第１側面側側壁２５０に設けられており、電源端子や映像端子などの端子である。なお、ケーブル端子１９０は、第２側面側側壁２６０に設けられていてもよい。
【００４１】
（光源ユニット、色分離合成ユニット及び投写ユニットの構成）
以下において、第１実施形態に係る光源ユニット、色分離合成ユニット及び投写ユニットの構成について、図面を参照しながら説明する。図３は、第１実施形態に係る光源ユニット１１０、色分離合成ユニット１４０及び投写ユニット１５０を示す図である。第１実施形態では、ＤＬＰ（Ｄｉｇｉｔａｌ  Ｌｉｇｈｔ  Ｐｒｏｃｅｓｓｉｎｇ）方式（登録商標）に対応する投写型映像表示装置１００を例示する。
【００４２】
図３に示すように、光源ユニット１１０は、複数の固体光源１１１Ｗ、複数の光ファイバー１１３Ｗ及びバンドル部１１４Ｗを有する。固体光源１１１Ｗは、上述したように、可干渉性を有する白色光Ｗを出射するＬＤなどの半導体レーザ素子である。固体光源１１１Ｗには、光ファイバー１１３Ｗが接続される。
【００４３】
各固体光源１１１Ｗに接続された光ファイバー１１３Ｗは、バンドル部１１４Ｗで束ねられる。すなわち、各固体光源１１１Ｗから出射された光は、各光ファイバー１１３Ｗによって伝達されて、バンドル部１１４Ｗに集められる。固体光源１１１Ｗは、固体光源１１１Ｗを冷却するための冷却ジャケット（不図示）に載置される。
【００４４】
色分離合成ユニット１４０は、ロッドインテグレータ１０Ｗ、レンズ２１Ｗ、レンズ２３、ミラー３４及びミラー３５を有する。また、色分離合成ユニット１４０は、拡散光学素子６００を有する。
【００４５】
ロッドインテグレータ１０Ｗは、光入射面と、光出射面と、光入射面の外周から光出射面の外周に亘って設けられる光反射側面とを有する。ロッドインテグレータ１０Ｗは、バンドル部１１４Ｗで束ねられた光ファイバー１１３Ｗから出射される白色光Ｗを均一化する。すなわち、ロッドインテグレータ１０Ｗは、光反射側面で白色光Ｗを反射することによって、白色光Ｗを均一化する。
【００４６】
なお、ロッドインテグレータ１０Ｗは、光反射側面がミラー面によって構成された中空ロッドであってもよい。また、ロッドインテグレータ１０Ｗは、ガラスなどによって構成された中実ロッドであってもよい。
【００４７】
レンズ２１Ｗは、白色光Ｗが各ＤＭＤ５００に照射されるように、白色光Ｗを略平行光化するレンズである。レンズ２３は、白色光Ｗの拡大を抑制しながら、白色光Ｗを各ＤＭＤ５００に略結像するためのレンズである。ミラー３４及びミラー３５は、白色光Ｗを反射する。
【００４８】
色分離合成ユニット１４０は、レンズ４０と、プリズム５０と、プリズム６０と、プリズム７０と、プリズム８０と、プリズム９０と、複数のＤＭＤ；Ｄｉｇｉｔａｌ  Ｍｉｃｒｏｍｉｒｒｏｒ  Ｄｅｖｉｃｅ（ＤＭＤ５００Ｒ、ＤＭＤ５００Ｇ及びＤＭＤ５００Ｂ）とを有する。
【００４９】
レンズ４０は、各色成分光が各ＤＭＤ５００に照射されるように、白色光Ｗを略平行光化するレンズである。
【００５０】
プリズム５０は、透光性部材によって構成されており、面５１及び面５２を有する。プリズム５０（面５１）とプリズム６０（面６１）との間にはエアギャップが設けられており、白色光Ｗが面５１に入射する角度（入射角）が全反射角よりも大きいため、白色光Ｗは面５１で反射される。一方で、プリズム５０（面５２）とプリズム７０（面７１）との間にはエアギャップが設けられるが、白色光Ｗが面５２に入射する角度（入射角）が全反射角よりも小さいため、面５１で反射された白色光Ｗは面５２を透過する。
【００５１】
プリズム６０は、透光性部材によって構成されており、面６１を有する。
【００５２】
プリズム７０は、透光性部材によって構成されており、面７１及び面７２を有する。プリズム５０（面５２）とプリズム７０（面７１）との間にはエアギャップが設けられており、面７２で反射された青成分光Ｂ及びＤＭＤ５００Ｂから出射された青成分光Ｂが面７１に入射する角度（入射角）が全反射角よりも大きいため、面７２で反射された青成分光Ｂ及びＤＭＤ５００Ｂから出射された青成分光Ｂは面７１で反射される。
【００５３】
面７２は、赤成分光Ｒ及び緑成分光Ｇを透過して、青成分光Ｂを反射するダイクロイックミラー面である。従って、面５１で反射された光のうち、赤成分光Ｒ及び緑成分光Ｇは面７２を透過し、青成分光Ｂは面７２で反射される。面７１で反射された青成分光Ｂは面７２で反射される。
【００５４】
プリズム８０は、透光性部材によって構成されており、面８１及び面８２を有する。プリズム７０（面７２）とプリズム８０（面８１）との間にはエアギャップが設けられており、面８１を透過して面８２で反射された赤成分光Ｒ及びＤＭＤ５００Ｒから出射された赤成分光Ｒが再び面８１に入射する角度（入射角）が全反射角よりも大きいため、面８１を透過して面８２で反射された赤成分光Ｒ及びＤＭＤ５００Ｒから出射された赤成分光Ｒは面８１で反射される。一方で、ＤＭＤ５００Ｒから出射されて面８１で反射された後に面８２で反射された赤成分光Ｒが再び面８１に入射する角度（入射角）が全反射角よりも小さいため、ＤＭＤ５００Ｒから出射されて面８１で反射された後に面８２で反射された赤成分光Ｒは面８１を透過する。
【００５５】
面８２は、緑成分光Ｇを透過して、赤成分光Ｒを反射するダイクロイックミラー面である。従って、面８１を透過した光のうち、緑成分光Ｇは面８２を透過し、赤成分光Ｒは面８２で反射される。面８１で反射された赤成分光Ｒは面８２で反射される。ＤＭＤ５００Ｇから出射された緑成分光Ｇは面８２を透過する。
【００５６】
ここで、プリズム７０は、赤成分光Ｒ及び緑成分光Ｇを含む合成光と青成分光Ｂとを面７２によって分離する。プリズム８０は、赤成分光Ｒと緑成分光Ｇとを面８２によって分離する。すなわち、プリズム７０及びプリズム８０は、各色成分光を分離する色分離素子として機能する。
【００５７】
なお、第１実施形態では、プリズム７０の面７２のカットオフ波長は、緑色に相当する波長帯と青色に相当する波長帯との間に設けられる。プリズム８０の面８２のカットオフ波長は、赤色に相当する波長帯と緑色に相当する波長帯との間に設けられる。
【００５８】
一方で、プリズム７０は、赤成分光Ｒ及び緑成分光Ｇを含む合成光と青成分光Ｂとを面７２によって合成する。プリズム８０は、赤成分光Ｒと緑成分光Ｇとを面８２によって合成する。すなわち、プリズム７０及びプリズム８０は、各色成分光を合成する色合成素子として機能する。
【００５９】
プリズム９０は、透光性部材によって構成されており、面９１を有する。面９１は、緑成分光Ｇを透過するように構成されている。なお、ＤＭＤ５００Ｇへ入射する緑成分光Ｇ及びＤＭＤ５００Ｇから出射された緑成分光Ｇは面９１を透過する。
【００６０】
ＤＭＤ５００Ｒ、ＤＭＤ５００Ｇ及びＤＭＤ５００Ｂは、複数の微少ミラーによって構成されており、複数の微少ミラーは可動式である。各微少ミラーは、基本的に１画素に相当する。ＤＭＤ５００Ｒは、各微少ミラーの角度を変更することによって、投写ユニット１５０側に赤成分光Ｒを反射するか否かを切り替える。同様に、ＤＭＤ５００Ｇ及びＤＭＤ５００Ｂは、各微少ミラーの角度を変更することによって、投写ユニット１５０側に緑成分光Ｇ及び青成分光Ｂを反射するか否かを切り替える。
【００６１】
投写ユニット１５０は、投写レンズ群１５１と、凹面ミラー１５２とを有する。
【００６２】
投写レンズ群１５１は、色分離合成ユニット１４０から出射された光（映像光）を凹面ミラー１５２側に出射する。
【００６３】
凹面ミラー１５２は、投写レンズ群１５１から出射された光（映像光）を反射する。凹面ミラー１５２は、映像光を集光した上で、映像光を広角化する。例えば、凹面ミラー１５２は、投写レンズ群１５１側に凹面を有する非球面ミラーである。
【００６４】
凹面ミラー１５２で集光された映像光は、天板２４０に設けられた天板凹部１８０の傾斜面１８１に設けられた透過領域を透過する。傾斜面１８１に設けられた透過領域は、凹面ミラー１５２によって映像光が集光される位置近傍に設けられることが好ましい。
【００６５】
凹面ミラー１５２は、上述したように、前面側凸部１７０によって形成される空間に収容される。例えば、凹面ミラー１５２は、前面側凸部１７０の内側に固定されることが好ましい。また、前面側凸部１７０の内側面の形状は、凹面ミラー１５２に沿った形状であることが好ましい。
【００６６】
ここで、第１実施形態では、色分離合成ユニット１４０は、上述したように、拡散光学素子６００を有する。拡散光学素子６００は、光源ユニット１１０から出射される光の光路上において、光源ユニット１１０とＤＭＤ５００との間に設けられており、光源ユニット１１０から出射された光のスペックルノイズを低減するユニットである。言い換えると、拡散光学素子６００は、スペックルを低減するために、白色光Ｗの空間コヒーレンスを低減させる光学素子である。具体的には、拡散光学素子６００は、ロッドインテグレータ１０Ｗによって均一化された白色光Ｗを拡散するとともに白色光Ｗを透過する。例えば、拡散光学素子６００の構成としては、以下に示す構成が考えられる。
【００６７】
（第１構成例）
第１構成例では、図４に示すように、拡散光学素子６００は、駆動装置６１０と、拡散板６２０とを有する。
【００６８】
駆動装置６１０は、アーム６１１によって拡散板６２０と接続されており、アーム６１１の駆動によって拡散板６２０を制御する。
【００６９】
拡散板６２０は、光源ユニット１１０から出射される光の光路上において、光源ユニット１１０とＤＭＤ５００との間に配置される。拡散板６２０は、光源ユニット１１０から出射される光を拡散するとともに、光源ユニット１１０から出射される光を透過する。
【００７０】
具体的には、拡散板６２０は、拡散度が異なる複数の領域（拡散領域６２１、拡散領域６２２、拡散領域６２３）を有する。第１実施形態では、拡散領域６２１の拡散度は、拡散領域６２２の拡散度よりも高く、拡散領域６２２の拡散度は、拡散領域６２３の拡散度よりも高い。
【００７１】
ここで、第１構成例では、駆動装置６１０は、拡散領域６２１〜拡散領域６２３のうち、ロッドインテグレータ１０Ｗから出射される光が照射される領域をアーム６１１の駆動によって切り替える。また、駆動装置６１０は、ロッドインテグレータ１０Ｗから出射される光が照射される領域をアーム６１１の駆動によって振動させる。
【００７２】
（第２構成例）
第２構成例では、図５に示すように、拡散光学素子６００は、第１構成例と同様に、駆動装置６１０と、拡散板６２０とを有する。
【００７３】
ここで、第２構成例では、駆動装置６１０は、回動体６１２と接続されており、回動体６１２を駆動する。駆動装置６１０は、拡散領域６２１〜拡散領域６２３のうち、ロッドインテグレータ１０Ｗから出射される光が照射される領域を回動体６１２の駆動によって切り替える。また、駆動装置６１０は、第１構成例と同様に、ロッドインテグレータ１０Ｗから出射される光が照射される領域をアーム６１１の駆動によって振動させる。
【００７４】
（第３構成例）
第３構成例では、図６に示すように、ロッドインテグレータ１０Ｗの光入射側にスペックル低減ユニット６００Ａが設けられており、ロッドインテグレータ１０Ｗの光出射側にスペックル低減ユニット６００Ｂが設けられる。スペックル低減ユニット６００Ａ及びスペックル低減ユニット６００Ｂの構成は、拡散光学素子６００と同様である。
【００７５】
また、スペックル低減ユニット６００Ａに設けられる拡散板６２０Ａは、ロッドインテグレータ１０Ｗに入射する光路上に配置可能に構成される。スペックル低減ユニット６００Ｂに設けられる拡散板６２０Ｂは、ロッドインテグレータ１０Ｗから出射される光の光路上に配置可能に構成される。
【００７６】
なお、第３構成例では、拡散板６２０Ａ及び拡散板６２０Ｂは、単一の拡散度を有する領域のみによって構成されてもよい。但し、拡散板６２０Ａの拡散度は、拡散板６２０Ｂの拡散度と異なってもよい。
【００７７】
例えば、第３構成例では、スペックル低減ユニット６００Ｂに設けられた駆動装置６１０Ｂは、ロッドインテグレータ１０Ｗから出射される光の光路に拡散板６２０Ｂが配置されるようにアーム６１１Ｂを駆動可能である。また、駆動装置６１０Ｂは、ロッドインテグレータ１０Ｗから出射される光の光路から拡散板６２０Ｂを外すようにアーム６１１Ｂを駆動可能である。
【００７８】
なお、スペックル低減ユニット６００Ａに設けられた駆動装置６１０Ａは、ロッドインテグレータ１０Ｗから出射される光の光路に拡散板６２０Ａが配置されるようにアーム６１１Ａを駆動可能であってもよい。また、駆動装置６１０Ａは、ロッドインテグレータ１０Ｗから出射される光の光路から拡散板６２０Ａを外すようにアーム６１１Ａを駆動可能であってもよい。
【００７９】
（制御ユニットの構成）
以下において、第１実施形態に係る制御ユニットについて、図面を参照しながら説明する。図７は、第１実施形態に係る制御ユニット８００を示すブロック図である。制御ユニット８００は、投写型映像表示装置１００に設けられており、投写型映像表示装置１００を制御する。
【００８０】
なお、制御ユニット８００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する複数の画素毎に入力される信号である。
【００８１】
また、第１実施形態では、制御ユニット８００は、光源ユニット１１０から出射される光の拡散度が異なる複数のモード（少なくとも第１モード及び第２モード）を制御する。ここで、拡散度が高いほど、スペックルノイズを除去する効果が高い。一方で、拡散度が高いほど、ＤＭＤ５００に導かれる有効光が減少するため、投写面３００に表示される映像の輝度が低下する。すなわち、スペックルノイズを除去する効果及び投写面３００に表示される映像の輝度は、トレードオフの関係を有する。
【００８２】
第１実施形態では、制御ユニット８００は、光源ユニット１１０から出射される光の拡散度が異なる複数のモードの制御によって、スペックルノイズの除去を優先するか、映像の輝度を優先するかを制御する。
【００８３】
図７に示すように、制御ユニット８００は、外部インタフェース８１０及びモード制御部８２０を有する。
【００８４】
外部インタフェース８１０は、操作部９１０に接続されており、操作部９１０から操作信号を取得する。なお、操作部９１０は、投写型映像表示装置１００（筐体２００）に設けられていてもよく、リモートコントローラに設けられていてもよい。
【００８５】
ここで、操作信号は、例えば、図８に示すように、映像の輝度を優先するレベルを示す信号である。図８では、３つのレベルが例示されており、レベル１が選択された場合に、映像の輝度が最も優先される。すなわち、レベル１が選択された場合に、光源ユニット１１０から出射される光の拡散度が最も低くなるようにモードが選択される。一方で、レベル３が選択された場合に、スペックルノイズの除去が最も優先される。すなわち、レベル３が選択された場合に、光源ユニット１１０から出射される光の拡散度が最も高くなるようにモードが選択される。
【００８６】
或いは、操作信号は、例えば、図９に示すように、投写面３００（スクリーン）と視聴者との間の距離を示す信号である。ここで、投写面３００（スクリーン）と視聴者との間の距離が大きいほど、スペックルノイズが観測されにくい。従って、投写面３００（スクリーン）と視聴者との間の距離が大きいほど、光源ユニット１１０から出射される光の拡散度が低いモードが選択される。
【００８７】
外部インタフェース８１０は、撮像装置９２０Ａ及び撮像装置９２０Ｂに接続されており、撮像装置９２０Ａ及び撮像装置９２０Ｂから撮像画像を取得する。ここで、撮像装置９２０Ａ及び撮像装置９２０Ｂは、図１０に示すように、投写型映像表示装置１００（筐体２００）に設けられており、投写型映像表示装置１００に対して投写面３００の反対側を撮像する。すなわち、撮像装置９２０Ａ及び撮像装置９２０Ｂは、視聴者を撮像する。
【００８８】
なお、撮像装置９２０Ａ及び撮像装置９２０Ｂから取得される撮像画像によって、投写面３００（スクリーン）と視聴者との間の距離が特定可能である。
【００８９】
モード制御部８２０は、光源ユニット１１０から出射される光の拡散度が異なる複数のモードを制御する。詳細には、第１に、モード制御部８２０は、外部インタフェース８１０によって取得される情報に基づいて、複数のモードの中からモードを選択する。
例えば、映像の輝度を優先するレベルを示す操作信号が外部インタフェース８１０によって取得される場合に、モード制御部８２０は、輝度を優先するレベルに基づいて、複数のモードの中からいずれのモードを選択する。或いは、投写面３００（スクリーン）と視聴者との間の距離を示す操作信号が外部インタフェース８１０によって取得される場合には、モード制御部８２０は、投写面３００（スクリーン）と視聴者との間の距離に基づいて、複数のモードの中からいずれのモードを選択する。或いは、撮像画像が外部インタフェース８１０によって取得される場合には、モード制御部８２０は、投写面３００（スクリーン）と視聴者との間の距離を特定し、投写面３００（スクリーン）と視聴者との間の距離に基づいて、複数のモードの中からいずれのモードを選択する。
【００９０】
第２に、モード制御部８２０は、選択されたモードに基づいて、拡散光学素子６００に設けられた駆動装置６１０を制御する。
【００９１】
例えば、複数のモードが３種類であり、拡散光学素子６００が図４に示す第１構成例である場合には、モード制御部８２０は、選択されたモードに基づいて、拡散領域６２１〜拡散領域６２３のうち、ロッドインテグレータ１０Ｗから出射される光が照射される領域を切り替えるように駆動装置６１０（アーム６１１）を制御する。例えば、スペックルノイズ除去が最も優先されるモードが選択された場合に、ロッドインテグレータ１０Ｗから出射される光が拡散領域６２１に照射されるように駆動装置６１０（アーム６１１）を制御する。一方で、映像の輝度が最も優先されるモードが選択された場合に、ロッドインテグレータ１０Ｗから出射される光が拡散領域６２３に照射されるように駆動装置６１０（アーム６１１）を制御する。
【００９２】
同様に、複数のモードが３種類であり、拡散光学素子６００が図５に示す第２構成例である場合には、モード制御部８２０は、選択されたモードに基づいて、拡散領域６２１〜拡散領域６２３のうち、ロッドインテグレータ１０Ｗから出射される光が照射される領域を切り替えるように駆動装置６１０（回動体６１２）を制御する。
【００９３】
或いは、複数のモードが２種類であり、拡散光学素子６００が図６に示す第３成例である場合には、モード制御部８２０は、ロッドインテグレータ１０Ｗから出射される光を透過する拡散光学素子の枚数を制御する。具体的には、スペックルノイズ除去が優先されるモードが選択された場合に、モード制御部８２０は、ロッドインテグレータ１０Ｗから出射される光から拡散板６２０Ｂを外れるように駆動装置６１０（アーム６１１Ｂ）を制御する。一方で、映像の輝度が優先されるモードが選択された場合に、モード制御部８２０は、ロッドインテグレータ１０Ｗから出射される光の光路上に拡散板６２０Ｂが配置されるように駆動装置６１０（アーム６１１Ｂ）を制御する。
【００９４】
第３に、モード制御部８２０は、ロッドインテグレータ１０Ｗから出射される光の光路上に配置された拡散板（拡散領域）を所定動作パターンで動作するように駆動装置６１０（アーム６１１）を制御する。
【００９５】
（作用及び効果）
第１実施形態では、制御ユニット８００は、第１モード（例えば、スペックルノイズの除去が優先されるモード）において、第２モード（例えば、映像の輝度が優先されるモード）よりも高い拡散度で、光源ユニット１１０から出射される光を拡散するように拡散光学素子６００を制御する。すなわち、第１モードでは、第２モードと比べて、拡散度が高いため、スペックルノイズが効果的に除去される。一方で、第２モードでは、第１モードと比べて、拡散度が低いため、輝度低下が抑制される。すなわち、モードの切り替えによって、スペックルノイズの除去及び輝度低下抑制を適切に両立することができる。
【００９６】
［変更例１］
以下において、第１実施形態の変更例１について、図面を参照しながら説明する。以下においては、第１実施形態との相違点について主として説明する。
【００９７】
具体的には、変更例１では、第１実施形態と比べて、拡散光学素子６００の構成が異なっている。
【００９８】
（拡散光学素子の構成）
以下において、変更例１に係る拡散光学素子の構成について、図面を参照しながら説明する。図１１及び図１２は、変更例１に係る拡散光学素子６００を示す図である。
【００９９】
図１１及び図１２に示すように、拡散光学素子６００は、一対の回転体（回転体６５１及び回転体６５２）と、回転体６５１及び回転体６５２に無端ループ状に巻き掛けられた帯状の拡散シート６５３とを有する。
【０１００】
回転体６５１は、回転軸Ｓ１を中心に回転可能である。回転体６５２は、回転軸Ｓ１と略平行な回転軸Ｓ２を中心に回転可能である。回転軸Ｓ１又は回転軸Ｓ２の何れかには、駆動装置（不図示）が接続される。例えば、駆動装置はモータであり、モータは、回転軸Ｓ１を回転させる。ここで、回転体６５１が回転すると、帯状の拡散シート６５３を介して回転体６５１の回転力が回転体６５２に伝達される。これによって、回転体６５２も回転する。すなわち、２つのモータを使用せずに、１つのモータの駆動によって、回転体６５１及び回転体６５２の双方を回転させることができる。
【０１０１】
回転体６５１及び回転体６５２のそれぞれは、円柱状であり、互いに略等しい形状を有する。回転体６５１と回転体６５２との間には、ロッドインテグレータ１０Ｗの光出射面から出射される光束の径と同程度の間隔が設けられている。
【０１０２】
帯状の拡散シート６５３は、光透過性の部材により形成されている。帯状の拡散シート６５３には、微少な凹凸が刻まれている。帯状の拡散シート６５３は、ロッドインテグレータ１０Ｗから出射される白色光Ｗを拡散するとともに白色光Ｗを透過する。帯状の拡散シート６５３は、ロッドインテグレータ１０Ｗから出射される光束の径と同程度の幅を有している。
【０１０３】
帯状の拡散シート６５３は、白色光Ｗの進行方向に離間して配置された拡散面Ｆ１及び拡散面Ｆ２を構成する。拡散面Ｆ１及び拡散面Ｆ２のそれぞれの大きさは光束の径と同程度である。拡散面Ｆ１及び拡散面Ｆ２のそれぞれは、回転体６５１及び回転体６５２の回転に伴って連続的に移動する。拡散面Ｆ１の移動方向は、拡散面Ｆ２の移動方向とは逆方向である。
【０１０４】
変更例１では、拡散面Ｆ１は、所定の方向に連続的に移動する第１の拡散面である。拡散面Ｆ２は、所定の方向（拡散面Ｆ１の移動方向）とは反対の方向に連続的に移動する第２の拡散面である。
【０１０５】
ロッドインテグレータ１０Ｗから出射される白色光Ｗは、まず拡散面Ｆ１を透過し、次いで拡散面Ｆ２を透過する。白色光Ｗが拡散面Ｆ１を透過する際、拡散面Ｆ１によって白色光Ｗが拡散される。白色光Ｗが拡散面Ｆ２を透過する際、拡散面Ｆ２によって白色光Ｗが拡散される。
【０１０６】
なお、回転軸Ｓ１及び回転軸Ｓ２の向きは、ロッドインテグレータ１０Ｗの光軸に対して略垂直であればよい。すなわち、拡散面Ｆ１及び拡散面Ｆ２は、ロッドインテグレータ１０Ｗの光軸に対して略垂直であればよい。
【０１０７】
例えば、図１２（ａ）に示すように、拡散光学素子６００は、回転軸Ｓ１及び回転軸Ｓ２の向きが投写型映像表示装置１００の高さ方向となるように配置されてもよい。図１２（ａ）に示すケースでは、拡散面Ｆ１及び拡散面Ｆ２は、投写型映像表示装置１００の高さ方向に沿って移動する。
【０１０８】
或いは、図１２（ｂ）に示すように、拡散光学素子６００は、回転軸Ｓ１及び回転軸Ｓ２の向きが投写型映像表示装置１００の幅方向となるように配置されてもよい。図１２（ａ）に示すケースでは、拡散面Ｆ１及び拡散面Ｆ２は、投写型映像表示装置１００の幅方向に沿って移動する。
【０１０９】
（作用及び効果）
変更例１では、白色光Ｗが拡散面Ｆ１及び拡散面Ｆ２によって拡散し、拡散面Ｆ１及び拡散面Ｆ２が連続的に移動する。言い換えると、拡散面Ｆ１及び拡散面Ｆ２が静止せずに、拡散面Ｆ１及び拡散面Ｆ２が常に移動する。従って、スペックルノイズの低減効果を常に維持することができる。
【０１１０】
変更例１では、回転体６５１及び回転体６５２に無端ループ状に巻き掛けられた帯状の拡散シート６５３によって拡散面Ｆ１及び拡散面Ｆ２が構成される。従って、拡散光学素子６００のサイズをロッドインテグレータ１０Ｗから出射される光束のサイズと同程度とすることができる。従って、拡散光学素子６００の小型化が可能であり、投写型映像表示装置１００の小型化を図ることがきる。
【０１１１】
変更例１では、１つのモータによって回転体６５１及び回転体６５２を回転するため、省電力化を図ることができる。
【０１１２】
変更例１では、ロッドインテグレータ１０Ｗの光出射側に拡散光学素子６００が設けられる。従って、ロッドインテグレータ１０Ｗの光入射側に拡散光学素子６００が設けられるケースと比べて、光利用効率の低下を抑制することができる。詳細には、ロッドインテグレータ１０Ｗの光入射側に拡散光学素子６００が設けられるケースでは、拡散光学素子６００によって拡散される光束の一部がロッドインテグレータ１０Ｗに入射しない可能性がある。
【０１１３】
但し、図１３に示すように、ロッドインテグレータ１０Ｗの光入射側に拡散光学素子６００が設けられてもよい。このようなケースでは、回転体６５１及び回転体６５２に無端ループ状に巻き掛けられた帯状の拡散シート６５３によって拡散面Ｆ１及び拡散面Ｆ２のサイズは、ロッドインテグレータ１０Ｗの光入射面よりも小さいことが好ましい。
【０１１４】
従って、図１３に示すケースでは、ロッドインテグレータ１０Ｗの光出射側に拡散光学素子６００が設けられるケースと比べて、拡散光学素子６００の小型化が可能である。
【０１１５】
［変更例２］
以下において、第１実施形態の変更例２について、図面を参照しながら説明する。以下においては、第１実施形態との相違点について主として説明する。
【０１１６】
具体的には、変更例２では、第１実施形態と比べて、拡散光学素子６００の構成が異なっている。
【０１１７】
（拡散光学素子の構成）
以下において、変更例１に係る拡散光学素子の構成について、図面を参照しながら説明する。図１４は、変更例２に係る拡散光学素子６００を示す図である。
【０１１８】
図１４に示すように、拡散光学素子６００は、複数の拡散板（拡散板６６１及び拡散板６６２）によって構成される。拡散板６６１及び拡散板６６２は、ロッドインテグレータ１０Ｗの光出射側に配置される。
【０１１９】
変更例１において、拡散板６６１は、所定の方向に沿って振動する第１の拡散板である。拡散板６６２は、拡散板６６１とは異なる方向に振動する。すなわち、制御ユニット８００は、拡散板６６１及び拡散板６６２が異なる方向に沿って振動するように拡散光学素子６００を制御する。
【０１２０】
拡散板６６１及び拡散板６６２は、光透過性の部材により形成され、微少な凹凸が刻まれている。拡散板６６１及び拡散板６６２は、ロッドインテグレータ１０Ｗから出射される白色光Ｗを拡散するとともに白色光Ｗを透過する。
【０１２１】
ここで、制御ユニット８００は、拡散板６６１及び拡散板６６２のうち、一方の拡散板が止まるときに、他の拡散板が動くように拡散光学素子６００を制御する。
【０１２２】
例えば、拡散板６６１（拡散面Ｆ１）の振動位相をφとし、拡散板６６２（拡散面Ｆ２）の振動位相をφ’とした場合に、制御ユニット８００は、φ’≠φ＋ｎπの関係が満たされるように、拡散光学素子６００を制御する。
【０１２３】
なお、拡散板６６１及び拡散板６６２の縦横のサイズは、ロッドインテグレータ１０Ｗの光出射面（光出射面から出射される光束のサイズ）と同程度以上であればよい。図１４では、拡散板６６１及び拡散板６６２の縦横のサイズがレンズ２１Ｗのサイズと同程度であるケースについて例示している。
【０１２４】
なお、図１５（ａ）及び図１５（ｂ）に示すように、拡散板６６１及び拡散板６６２の振動方向は同じであってもよい。例えば、拡散板６６１及び拡散板６６２の振動方向は、図１５（ａ）に示すように、ロッドインテグレータ１０Ｗの光軸ｗに対して垂直な方向（Ｄ１方向）であってもよい。或いは、拡散板６６１及び拡散板６６２の振動方向は、図１５（ｂ）に示すように、ロッドインテグレータ１０Ｗの光軸ｗと同じ方向（Ｄ２方向）であってもよい。
【０１２５】
また、図１６（ａ）及び図１６（ｂ）に示すように、拡散板６６１及び拡散板６６２の振動方向は異なっていてもよい。例えば、図１６（ａ）に示すように、拡散板６６１の振動方向がＤ３方向であり、拡散板６６２の振動方向がＤ１方向であってもよい。或いは、図１６（ｂ）に示すように、拡散板６６１の振動方向がＤ１方向であり、拡散板６６２の振動方向がＤ２方向であってもよい。
【０１２６】
（作用及び効果）
第２実施形態では、白色光Ｗが拡散板６６１（拡散面Ｆ１）及び拡散板６６２（拡散面Ｆ２）によって拡散し、拡散板６６１（拡散面Ｆ１）及び拡散板６６２（拡散面Ｆ２）のうち、少なくともいずれか一方が常に移動する。従って、スペックルノイズの低減効果を常に維持することができる。
【０１２７】
［変更例３］
以下において、第１実施形態の変更例３について、図面を参照しながら説明する。以下においては、第２変更例との相違点について主として説明する。具体的には、変更例３では、拡散板６６１及び拡散板６６２の配置が異なっている。
【０１２８】
例えば、図１７に示すように、ロッドインテグレータ１０Ｗの光入射側に拡散板６６１及び拡散板６６２が配置されてもよい。或いは、図１８に示すように、ロッドインテグレータ１０Ｗの光入射側に拡散板６６１が配置され、ロッドインテグレータ１０Ｗの光出射側に拡散板６６２が配置されてもよい。
【０１２９】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１３０】
実施形態では、光源ユニット１１０から出射される光の光路上に設けられる拡散面が１つ或いは２つであるケースにして例示した。しかしながら、光源ユニット１１０から出射される光の光路上に設けられる３つの拡散面が設けられていてもよい。このようなケースでは、３つの拡散面のうち、少なくとも２つの拡散面が振動していればよい。
【０１３１】
実施形態では、光源ユニット１１０が白色光Ｗを出射する固体光源１１１Ｗを有するケースについて例示した。しかしながら、実施形態は、これに限定されるものではない。光源ユニット１１０が赤成分光Ｒを出射する赤固体光源、緑成分光Ｇを出射する緑固体光源及び青成分光Ｂを出射する青固体光源を有していてもよい。このようなケースでは、赤成分光Ｒ、緑成分光Ｇ及び青成分光Ｂのそれぞれの光路上に、拡散光学素子６００が配置される。
【０１３２】
実施形態では、ＤＬＰ方式（登録商標）に対応する投写型映像表示装置１００について例示した。また、実施形態では、壁面投写を行う投写型映像表示装置１００について例示した。しかしながら、実施形態は、可干渉性を有する光を出射する光源が用いられる投写型映像表示装置であれば、どのような投写型映像表示装置にも適用可能である。
【０１３３】
実施形態では、スクリーンと視聴者との距離に応じてモードを選択するケースについて例示した。しかしながら、実施形態は、これに限定されるものではない。投写画像の大きさ（ズームの程度）や輝度、スクリーンの種類などを検出して、スクリーンと視聴者との距離及び検出結果に応じて、モードを選択してもよい。
【符号の説明】
【０１３４】
１０Ｗ…ロッドインテグレータ、２１Ｗ…レンズ、２３…レンズ、３４，３５…ミラー、４０…レンズ、５０，６０，７０，８０…プリズム、１００…投写型映像表示装置、１１０…光源ユニット、１１１Ｗ…固体光源、１１３Ｗ…光ファイバー、１１４Ｗ…バンドル部、１２０…電源ユニット、１３０…冷却ユニット、１４０…色分離合成ユニット、１５０…投写ユニット、１５１…投写レンズ群、１５２…凹面ミラー、１６０Ａ…投写面側凹部、１６０Ｂ…投写面側凹部、１７０…前面側凸部、１８０…天板凹部、１８１…傾斜面、１９０…ケーブル端子、２００…筐体、２１０…投写面側側壁、２２０…前面側側壁、２３０…底面板、２４０…天板、２５０…第１側面側側壁、２６０…第２側面側側壁、３００…投写面、４１０…床面、４２０…壁面、５００…ＤＭＤ、６００…拡散光学素子、６１０…駆動装置、６１１…アーム、６１２…回動体、６２０…拡散板、６２１〜６２３…拡散領域、８００…制御ユニット、８１０…外部インタフェース、８２０…モード制御部、９１０…操作部、９２０…撮像装置
【図１】
2011100093.tif 000003
【図２】
2011100093.tif 000004
【図３】
2011100093.tif 000005
【図４】
2011100093.tif 000006
【図５】
2011100093.tif 000007
【図６】
2011100093.tif 000008
【図７】
2011100093.tif 000009
【図８】
2011100093.tif 000010
【図９】
2011100093.tif 000011
【図１０】
2011100093.tif 000012
【図１１】
2011100093.tif 000013
【図１２】
2011100093.tif 000014
【図１３】
2011100093.tif 000015
【図１４】
2011100093.tif 000016
【図１５】
2011100093.tif 000017
【図１６】
2011100093.tif 000018
【図１７】
2011100093.tif 000019
【図１８】
2011100093.tif 000020